(57)【要約】  【課題】  無駄を生じさせることなく、洗浄消毒液を効率よく製造する。湿潤材料の利便性を向上させる。  【解決手段】  イオン溶出ユニット５と噴射部６とを設けて洗浄消毒器を構成する。イオン溶出ユニット５は、溶媒容器２から供給される揮発性の殺菌性溶媒（例えばアルコールや石油系溶剤）内で、金属担持体（金属電極）から金属イオン（例えば銀イオン）を溶出することにより、上記殺菌性溶媒と上記金属イオンとを含む洗浄消毒液を生成する。噴射部６が洗浄消毒液を洗浄対象（例えば手指）に向かって噴射することで、洗浄対象に対して金属イオンによる将来的な抗菌効果を付与することができる。また、上記洗浄消毒液を含浸させた湿潤材料（例えば綿球、ガーゼ）を構成することで、上記殺菌性溶媒が揮発したとしても、残留する金属イオンによる抗菌効果を得ることができる。【選択図】      図１
2005053840.tif 000002
【特許請求の範囲】
【請求項１】
洗浄対象を洗浄して消毒する洗浄消毒液であって、
揮発性の殺菌性溶媒と、
当該溶媒内で金属担持体から溶出される金属イオンとを含んでいることを特徴とする洗浄消毒液。
【請求項２】
上記殺菌性溶媒は、アルコールを含んでいることを特徴とする請求項１に記載の洗浄消毒液。
【請求項３】
上記アルコールは、５０重量％以上含まれていることを特徴とする請求項２に記載の洗浄消毒液。
【請求項４】
上記金属イオンは、１０ｐｐｂ以上１ｐｐｍ以下含まれていることを特徴とする請求項１ないし３のいずれかに記載の洗浄消毒液。
【請求項５】
上記殺菌性溶媒は、電解質を含んでいることを特徴とする請求項１ないし４のいずれかに記載の洗浄消毒液。
【請求項６】
上記殺菌性溶媒は、水道水を含んでいることを特徴とする請求項１ないし５のいずれかに記載の洗浄消毒液。
【請求項７】
上記金属イオンは、銀イオンであることを特徴とする請求項１ないし６のいずれかに記載の洗浄消毒液。
【請求項８】
請求項１ないし７のいずれかに記載の洗浄消毒液が含浸されていることを特徴とする湿潤材料。
【請求項９】
洗浄対象を洗浄して消毒する洗浄消毒液の製造方法であって、
揮発性の殺菌性溶媒内で、金属担持体から金属イオンを溶出させることにより、洗浄消毒液を製造することを特徴とする洗浄消毒液の製造方法。
【請求項１０】
金属イオンを含む洗浄消毒液を製造する洗浄消毒液の製造装置であって、
金属担持体から金属イオンを溶出するイオン溶出手段を備え、
上記イオン溶出手段は、揮発性の殺菌性溶媒内で、金属担持体から金属イオンを溶出することにより、上記殺菌性溶媒と上記金属イオンとを含む洗浄消毒液を生成することを特徴とする洗浄消毒液の製造装置。
【請求項１１】
揮発性の殺菌性溶媒内で、金属担持体から金属イオンを溶出することにより、上記殺菌性溶媒と上記金属イオンとを含む洗浄消毒液を生成するイオン溶出手段と、
上記洗浄消毒液を洗浄対象に噴射する噴射部とを備えていることを特徴とする洗浄消毒器。
【請求項１２】
上記イオン溶出手段は、金属担持体としての金属電極への通電により、上記金属電極から金属イオンを溶出することを特徴とする請求項１１に記載の洗浄消毒器。
【請求項１３】
上記殺菌性溶媒を収容する溶媒容器と、
上記溶媒容器から上記噴射部に至る吸液管内の圧力を押圧動作に応じて変化させることによって、上記殺菌性溶媒の上記イオン溶出手段への供給を制御するとともに、上記イオン溶出手段にて生成された洗浄消毒液の上記噴射部からの噴射を制御する押圧レバーと、
上記押圧レバーの押圧動作に連動して、上記金属電極への通電を制御する制御部とをさらに備えていることを特徴とする請求項１２に記載の洗浄消毒器。
【請求項１４】
上記制御部は、上記押圧レバーの押圧動作に連動して、上記金属電極への通電を切り替えるスイッチで構成されていることを特徴とする請求項１３に記載の洗浄消毒器。
【請求項１５】
上記スイッチは、
一方の金属電極と接続される第１端子と、
他方の金属電極と電源を介して接続される第２端子とを備えており、
上記第１端子および上記第２端子が上記押圧レバーの押圧動作に連動して離接することにより、上記金属電極への通電を切り替えることを特徴とする請求項１４に記載の洗浄消毒器。
【請求項１６】
上記殺菌性溶媒を収容する溶媒容器と、
上記溶媒容器から上記噴射部に至る吸液管内の圧力を押圧動作に応じて変化させることによって、上記殺菌性溶媒の上記イオン溶出手段への供給を制御するとともに、上記イオン溶出手段にて生成された洗浄消毒液の上記噴射部からの噴射を制御する押圧レバーと、
上記吸液管内の圧力を検知する圧力検知部と、
上記圧力検知部での検知結果に応じて、上記金属電極への通電を制御する制御部とをさらに備えていることを特徴とする請求項１２に記載の洗浄消毒器。
【請求項１７】
上記吸液管は、遮光性を有していることを特徴とする請求項１３ないし１６のいずれかに記載の洗浄消毒器。
【発明の詳細な説明】
【技術分野】
【０００１】
本発明は、洗浄対象（例えば手指や繊維製品）を洗浄して消毒する際に用いられる洗浄消毒液と、その洗浄消毒液が含浸された湿潤材料（例えば綿球、綿棒、ガーゼ）と、洗浄消毒液の製造方法と、洗浄消毒液の製造装置と、洗浄消毒器とに関するものである。
【背景技術】
【０００２】
従来から、手指を洗浄・消毒するための消毒液や消毒器に関する技術が種々提案されている。例えば、特許文献１に記載の自動式手消毒器では、制御装置が、手の存在を検知するセンサからの検知情報に基づいて、ポンプの作動（消毒液の吸い上げ、消毒液の手への吹き付け）および温風の発生を制御している。この構成により、外部光線に起因する外部乱射光による誤検知や電磁ノイズによる誤動作を防止するようになっている。
【０００３】
また、特許文献２に記載の手洗い装置は、殺菌水生成手段を備えている。この殺菌水生成手段は、例えば金属板への通電により、銀イオンを溶出させて貯留槽内の水道水に添加することで、殺菌水を生成している。このように、殺菌水生成手段が水道水を直接処理して殺菌水を生成するので、殺菌水の給・排水設備を別々に設けることなく、必要なときに必要な場所にて即座に、殺菌水による殺菌手洗いが可能となっている。
【０００４】
しかし、銀イオン水を用いて消毒対象（例えば手）を消毒する場合、銀イオン水には揮発性が無いので、（１）タオルで拭いて水分を除去する、あるいは、（２）送風機からの送風により、銀イオン水を乾燥させる必要がある。上記（１）の場合、タオルが菌で汚染されていると、タオルで拭いても消毒した意味が無くなってしまう。また、タオルで拭き取ったときに、同時に銀が除去される可能性もあり、消毒の効果が低減する。一方、上記（２）の場合は、送風機等の送風機能を有するものを別途用意する必要がある。
【０００５】
これに対して、特許文献３では、クエン酸溶液中に銀電極を浸して通電し、その後、エタノールで希釈することで、２０％エタノール溶液中に所定濃度の銀イオンを含有させた殺菌剤を生成している。この構成の場合、銀イオン水が揮発しやすくなるので、タオルで殺菌剤を拭き取ったり、殺菌剤に送風することなく、乾燥後も、殺菌剤に含まれる銀イオンによる所望の殺菌効果が得られるものと考えられる。
【０００６】
また、特許文献４には、消毒殺菌剤を含浸させた綿球をプラスチック容器に入れて密封した消毒用綿球が開示されている。
【特許文献１】特開２０００−６０７６４号公報（段落〔０００９〕、〔００１０〕参照）
【特許文献２】特開２００１−２９４３９号公報（段落〔０００５〕、〔０００９〕、〔００１２〕参照）
【特許文献３】特表２００１−５１９３６１号公報（段落〔００９２〕参照）
【特許文献４】実開平２−１４９２２５号公報
【発明の開示】
【発明が解決しようとする課題】
【０００７】
ところで、特許文献３では、殺菌剤における銀イオン濃度を、例えば４ｐｐｍと高くしている。このことから、特許文献３は、銀イオンによる殺菌効果を瞬間的に得ること、すなわち、即効性の殺菌剤を得ることを目的としているものと思われる。殺菌剤における銀イオン濃度がこのように高いと、殺菌剤から銀が析出しやすくなり、銀イオン濃度が減少するとともに、殺菌剤の貯蔵時の安定性が損なわれる。
【０００８】
そこで、特許文献３では、銀イオンとエタノールとを含む殺菌剤の生成過程で、クエン酸溶液中にて銀電極への通電を行い、クエン酸を上記殺菌剤に含めることで、殺菌剤の貯蔵時の安定性を確保しているものと思われる。
【０００９】
これに対して、銀イオンによる瞬間的な殺菌効果ではなく、将来における菌の付着や繁殖を抑える将来的な殺菌効果（以下、抗菌効果と称する）を得ることを目的とする場合、銀イオン濃度は上述の濃度ほど高くする必要はない。すなわち、銀イオン濃度が低濃度（例えば１０ｐｐｂ〜１ｐｐｍ）でも、抗菌効果を十分に得ることはできる。このように銀イオン濃度が低濃度の場合、殺菌剤の状態は比較的安定しており、銀の析出は起こりにくいため、貯蔵時の安定化を図るためのクエン酸は、不要である。
【００１０】
したがって、銀イオンによる抗菌効果を得ることを目的とする場合には、特許文献３の殺菌剤を用いると、不要なクエン酸水溶液を用いることになり、クエン酸水溶液を無駄に消費してしまうという問題が生ずる。
【００１１】
また、特許文献３の殺菌剤は、上述の理由によりクエン酸を必須とするため、殺菌剤を製造するにあたり、クエン酸水溶液内での銀イオンを溶出と、エタノールによる希釈との２段階の工程を経る必要がある。その結果、殺菌剤の製造効率を上げることができないという問題も生ずる。
【００１２】
また、特許文献４に記載の綿球に含浸されている消毒殺菌剤は、例えば一般の消毒用アルコールと考えられる。消毒用アルコールは、揮発性があるので、このような消毒用アルコールのみが含浸された綿球は、消毒用アルコールが揮発してしまうと全く効果がなくなる。また、綿球やガーゼ中で菌が繁殖すると、院内感染するおそれもある。そのため、使用直前に容器を開封して消毒用アルコールの含浸された綿球を使用したり、使用の都度、綿球を消毒用アルコールに浸さなければならず、利便性があまりよくないという問題が生ずる。
【００１３】
本発明は、上記の問題点を解決するためになされたもので、その目的は、無駄を生じさせることなく効率よく製造することができる洗浄消毒液と、その製造方法および製造装置と、洗浄消毒器とを提供することにある。また、本発明の他の目的は、利便性に優れた洗浄消毒用の湿潤材料を提供することにある。
【課題を解決するための手段】
【００１４】
（１）本発明の洗浄消毒液は、洗浄対象を洗浄して消毒する洗浄消毒液であって、揮発性の殺菌性溶媒と、当該溶媒内で金属担持体から溶出される金属イオンとを含んでいることを特徴としている。
【００１５】
金属担持体としては、例えば、金属電極（例えば銀電極）や、金属イオン溶出剤（例えば硫化銀）やそれらを担持したゼオライト、シリカゲルなどの金属イオン溶出剤担持材などを想定することができる。上記前者の金属担持体を用いた場合は、その電極間に電圧を印加することで、電極構成金属のイオン（例えば銀イオン）を溶出させることができる。一方、上記後者の金属担持体を用いた場合は、その金属担持体をカートリッジ内に装填し、電圧を印加することなしに、カートリッジ内に溶媒を通すだけで、金属担持体から金属イオン（例えば銀イオン）を溶出させることができる。また、上記の揮発性の殺菌性溶媒としては、例えばアルコールや石油系溶剤を想定することができる。
【００１６】
本発明では、金属担持体からの金属イオンの溶出を、揮発性の殺菌性溶媒内で行うことにより、金属イオンを含有する洗浄消毒液を得るようにしている。これにより、第１に、従来のような溶液（例えばクエン酸水溶液）を使用することなく、洗浄消毒液を生成することができる。金属イオンによる将来的な殺菌効果、すなわち、抗菌効果を得ようとする場合は、金属イオンによる瞬間的な殺菌効果を得る場合ほど、金属イオン濃度を高くする必要はなく、それゆえ、洗浄消毒液の貯蔵時の安定化のために、クエン酸を洗浄消毒液に含有させる必要はない。したがって、本発明によれば、金属イオンによる抗菌効果を得ることを目的として、洗浄消毒液を製造する場合でも、製造過程で無駄を生じさせること無く、洗浄消毒液を製造することができる。
【００１７】
また、第２に、金属イオンによる抗菌効果を得ることを目的として、洗浄消毒液を生成する場合には、安定化のためのクエン酸が不要であるため、洗浄消毒液を製造するにあたり、揮発性の殺菌性溶媒中に例えば金属電極を浸して通電するという一工程だけで、揮発性の殺菌性溶媒と金属イオンとを含む洗浄消毒液を容易に得ることができる。その結果、洗浄消毒液の製造効率を向上させることができる。
【００１８】
また、本発明の洗浄消毒液は、揮発性の殺菌性溶媒を含んでいるので、自然乾燥でも十分に、洗浄消毒液に含まれる金属イオンによる所望の抗菌効果を得ることができる。
【００１９】
（２）本発明の洗浄消毒液において、上記殺菌性溶媒は、アルコールを含んでいる構成であってもよい。
【００２０】
上記構成によれば、揮発が早く、乾燥後も金属イオンによる抗菌効果を確実に得ることができる。また、アルコールの殺菌効果により、最初にアルコールで菌を除去することができるので、その後の金属イオンによる抗菌効果を高めることができる。また、洗浄消毒液の揮発が早いと、上記金属イオンが金属化合物として析出する微粉末の粒径が小さくなり、表面積が大きくなる。これにより、金属化合物から溶け出す金属イオンによる殺菌・抗菌作用を効果的に得ることができる。
【００２１】
また、アルコールには、界面活性作用があり、油などの洗浄力にも優れている。したがって、水洗いに適さない繊維製品や、水で濡らしたくない電化製品やその周辺などの洗浄用途に本発明の洗浄消毒液を用いて、洗浄を行うことができ、また、そのような洗浄と同時に、残留した金属イオンにより抗菌処理を行うこともできる。
【００２２】
また、水洗いに適さない繊維製品に対するドライクリーニングの頻度を下げて、クリーニングに要する費用を削減することができる。また、ドライクリーニングでは、有機系の汚れには効果的である反面、無機系の汚れには効果的でない。しかし、アルコールには界面活性作用があるため、アルコールを含む本発明の洗浄消毒液を用いれば、皮脂などの有機系の汚れも落とすことができ、さらに、本発明の洗浄消毒液を水溶液とすれば、泥などの無機系の汚れも落とすことができる。
【００２３】
（３）本発明の洗浄消毒液において、上記アルコールは、５０重量％以上含まれている構成であってもよい。
【００２４】
上記の構成によれば、本発明の洗浄消毒液がアルコールを含有することによる上述の効果を確実に得ることができる。また、アルコールの揮発が確実に早くなるため、金属イオン特有の効果（例えば抗菌効果）をより発揮しやすくすることができる。
【００２５】
（４）本発明の洗浄消毒液において、上記金属イオンは、１０ｐｐｂ以上１ｐｐｍ以下含まれている構成であってもよい。
【００２６】
上記の構成によれば、金属イオン濃度が従来に比べて低いので、金属が析出しにくく、クエン酸等を加えることなく、洗浄消毒液の貯蔵時の安定性を確保することができる。
【００２７】
（５）本発明の洗浄消毒液において、上記殺菌性溶媒は、電解質を含んでいる構成であってもよい。
【００２８】
上記の電解質としては、例えば塩化ナトリウム（NaCl）や炭酸水素ナトリウム（NaHCO3）を想定することができる。殺菌性溶媒がこのような電解質を含んでいることにより、殺菌性溶媒の導電率が上がる。これにより、金属イオンの溶出を、例えば殺菌性溶媒内での金属電極（金属担持体）への通電により行う場合に、低電圧で金属イオンを溶出させることができる。その結果、低消費電力にて洗浄消毒液を得ることができる。
【００２９】
（６）本発明の洗浄消毒液において、上記殺菌性溶媒は、水道水を含んでいる構成であってもよい。
【００３０】
水道水中には元々電解質が含まれているため、殺菌性溶媒に意図的に電解質を添加しなくても、導電率の高い殺菌性溶媒を生成することができる。したがって、一般的に入手しやすい水道水を用いて、本発明の洗浄消毒液を容易に得ることができる。
【００３１】
（７）本発明の洗浄消毒液において、上記金属イオンは、銀イオンである構成であってもよい。
【００３２】
洗浄消毒液に含まれる金属イオンが銀イオンであれば、本発明の洗浄消毒液によって洗浄対象を洗浄することで、銀イオンに特有の将来的な抗菌効果を洗浄対象に付与することができる。
【００３３】
（８）本発明の湿潤材料は、上述した本発明の洗浄消毒液が含浸されていることを特徴としている。
【００３４】
上記の構成によれば、揮発性の殺菌性溶媒（例えばアルコール）が揮発した以降も、残留している金属イオン（例えば銀イオン）による特有の効果（例えば抗菌効果）を得ることができる。したがって、湿潤材料を収容した密閉容器の開封を、湿潤材料の使用直前に行わなければならないといった従来のような制約は不要であり、また、使用直前に乾いた綿球をアルコールに浸して湿潤材料を作成するといった手間もかからない。よって、使用者にとって使い勝手のよい、利便性に優れた湿潤材料を提供することができる。
【００３５】
（９）本発明の洗浄消毒液の製造方法は、洗浄対象を洗浄して消毒する洗浄消毒液の製造方法であって、揮発性の殺菌性溶媒内で、金属担持体から金属イオンを溶出させることにより、洗浄消毒液を製造することを特徴としている。
【００３６】
上記の構成によれば、金属担持体からの金属イオンの溶出を、揮発性の殺菌性溶媒内で行うことにより、金属イオンを含有する洗浄消毒液を製造するので、従来のような溶液（例えばクエン酸水溶液）を使用することなく、洗浄消毒液を生成することができる。例えば、金属イオンによる将来的な抗菌効果を得ようとする場合は、金属イオンによる瞬間的な殺菌効果を得る場合ほど、金属イオン濃度を高くする必要はなく、それゆえ、洗浄消毒液の貯蔵時の安定化のために、クエン酸を洗浄消毒液に含有させる必要はない。したがって、本発明によれば、金属イオンによる抗菌効果を得ることを目的として、洗浄消毒液を製造する場合でも、製造過程で無駄を生じさせること無く、洗浄消毒液を製造することができる。
【００３７】
また、洗浄消毒液を製造するにあたり、揮発性の殺菌性溶媒中に例えば金属電極を浸して通電するという一工程だけで、揮発性の殺菌性溶媒と金属イオンとを含む洗浄消毒液を容易に得ることができるので、洗浄消毒液の製造効率を向上させることができる。
【００３８】
また、揮発性の殺菌性溶媒と金属イオンとを含む洗浄消毒液を製造するので、自然乾燥でも十分に、洗浄消毒液に含まれる金属イオンによる所望の抗菌効果を得ることができる。
【００３９】
（１０）本発明の洗浄消毒液の製造装置は、金属イオンを含む洗浄消毒液を製造する洗浄消毒液の製造装置であって、金属担持体から金属イオンを溶出するイオン溶出手段を備え、上記イオン溶出手段は、揮発性の殺菌性溶媒内で、金属担持体から金属イオンを溶出することにより、上記殺菌性溶媒と上記金属イオンとを含む洗浄消毒液を生成することを特徴としている。
【００４０】
（１１）また、本発明の洗浄消毒器は、揮発性の殺菌性溶媒内で、金属担持体から金属イオンを溶出することにより、上記殺菌性溶媒と上記金属イオンとを含む洗浄消毒液を生成するイオン溶出手段と、上記洗浄消毒液を洗浄対象に噴射する噴射部とを備えていることを特徴としている。
【００４１】
イオン溶出手段としては、例えば、（ｉ）金属電極を金属担持体として有し、金属電極に通電することによって金属イオンを溶出するイオン溶出ユニットや、（ii）金属担持体（例えば硫化銀）をカートリッジ内に装填し、電圧を印加することなしに、カートリッジ内に溶媒を通すだけで、金属担持体から金属イオン（例えば銀イオン）を溶出させるものを想定することができる。
【００４２】
本発明の洗浄消毒液の製造装置および洗浄消毒器では、イオン溶出手段が、揮発性の殺菌性溶媒内で、金属担持体から金属イオンを溶出することにより、上記殺菌性溶媒と上記金属イオンとを含む洗浄消毒液を生成するので、従来のような溶液（例えばクエン酸水溶液）を使用することなく、洗浄消毒液を生成することができる。例えば、金属イオンによる将来的な抗菌効果を得ようとする場合は、金属イオンによる瞬間的な殺菌効果を得る場合ほど、金属イオン濃度を高くする必要はなく、それゆえ、洗浄消毒液の貯蔵時の安定化のために、クエン酸を洗浄消毒液に含有させる必要はない。したがって、本発明によれば、金属イオンによる抗菌効果を得ることを目的として、洗浄消毒液を製造する場合でも、製造過程で無駄を生じさせること無く、洗浄消毒液を製造することができる。
【００４３】
また、洗浄消毒液を製造するにあたり、揮発性の殺菌性溶媒内で金属イオンを溶出させるという一工程だけで、揮発性の殺菌性溶媒と金属イオンとを含む洗浄消毒液を容易に得ることができるので、洗浄消毒液の製造効率を向上させることができる。
【００４４】
また、揮発性の殺菌性溶媒と金属イオンとを含む洗浄消毒液を製造するので、自然乾燥でも十分に、洗浄消毒液に含まれる金属イオンによる所望の抗菌効果を得ることができる。
【００４５】
さらに、イオン溶出手段と噴射部とで洗浄消毒器が構成されるので、例えば据え置き式の洗浄消毒器（手指洗浄消毒器）や、持ち運び可能なスプレー式の洗浄消毒器（洗浄消毒スプレー器）を容易に実現することができる。なお、前者の洗浄消毒器は、例えば手指を洗浄対象とする場合に適しており、後者の洗浄消毒器は、例えば水洗いに適さない繊維製品を洗浄対象とする場合に適している。つまり、本発明の洗浄消毒器は、据え置き式にも、スプレー式にも適用することができる。
【００４６】
（１２）本発明の洗浄消毒器において、上記イオン溶出手段は、金属担持体としての金属電極への通電により、上記金属電極から金属イオンを溶出する構成であってもよい。
【００４７】
上記の構成によれば、金属電極からの金属イオンの溶出の選択や、金属イオンの濃度の調節をすべて電気的に行うことができるので、使い勝手がよく、洗浄消毒器の利便性を向上させることができる。
【００４８】
（１３）本発明の洗浄消毒器は、上記殺菌性溶媒を収容する溶媒容器と、上記溶媒容器から上記噴射部に至る吸液管内の圧力を押圧動作に応じて変化させることによって、上記殺菌性溶媒の上記イオン溶出手段への供給を制御するとともに、上記イオン溶出手段にて生成された洗浄消毒液の上記噴射部からの噴射を制御する押圧レバーと、上記押圧レバーの押圧動作に連動して、上記金属電極への通電を制御する制御部とをさらに備えている構成であってもよい。
【００４９】
上記の構成によれば、例えば押圧レバーを押圧すると、吸液管内の圧力が高くなり、これによって、イオン溶出手段にて生成された洗浄消毒液が噴射部から噴射される。一方、押圧レバーの押圧を解除すると、吸液管内の圧力が低下するため、溶媒容器から殺菌性溶媒が吸い上げられて、次のイオン溶出手段での洗浄消毒液の生成に備えられる。
【００５０】
このとき、制御部は、上記した押圧レバーの押圧動作に連動して、金属電極への通電を制御するので、例えば、押圧レバーが押圧されたときのみ、つまり、洗浄消毒液の噴射が必要なときのみ、金属電極に通電して金属イオンを殺菌性溶媒に添加し、洗浄消毒液を生成する一方、押圧レバーの押圧が解除されたときには、金属電極への通電を解除することができる。
【００５１】
これにより、噴射される洗浄消毒液として、噴射直前に金属イオンが添加された新鮮なものを常に提供することができる。また、洗浄消毒液が噴射されないときには、イオン溶出手段に供給される殺菌性溶媒内に金属イオンが存在しない状態を作ることができるので、殺菌性溶媒内で金属が析出して金属電極間が短絡するのを確実に防止することができる。また、洗浄消毒液が噴射されないときに、無駄な金属イオンの溶出を防ぐこともできる。
【００５２】
（１４）本発明の洗浄消毒器において、上記制御部は、上記押圧レバーの押圧動作に連動して、上記金属電極への通電を切り替えるスイッチで構成されていてもよい。
【００５３】
上記制御部を上記スイッチで構成することにより、押圧レバーの押圧動作だけで、自動的に殺菌性溶媒に金属イオンを溶出させることができる。つまり、金属イオンの溶出タイミングを制御する手段を別途設けなくても済む。
【００５４】
（１５）本発明の洗浄消毒器において、上記スイッチは、一方の金属電極と接続される第１端子と、他方の金属電極と電源を介して接続される第２端子とを備えており、上記第１端子および上記第２端子が上記押圧レバーの押圧動作に連動して離接することにより、上記金属電極への通電を切り替える構成であってもよい。
【００５５】
上記の構成によれば、第１端子および第２端子を押圧レバーの押圧動作に連動して離接可能に設けるという簡単な構成で、電源による金属電極への通電を切り替えるスイッチを実現することができる。
【００５６】
（１６）本発明の洗浄消毒器は、上記殺菌性溶媒を収容する溶媒容器と、上記溶媒容器から上記噴射部に至る吸液管内の圧力を押圧動作に応じて変化させることによって、上記殺菌性溶媒の上記イオン溶出手段への供給を制御するとともに、上記イオン溶出手段にて生成された洗浄消毒液の上記噴射部からの噴射を制御する押圧レバーと、上記吸液管内の圧力を検知する圧力検知部（例えば圧力センサ）と、上記圧力検知部での検知結果に応じて、上記金属電極への通電を制御する制御部とをさらに備えている構成であってもよい。
【００５７】
上記の構成によれば、例えば押圧レバーを押圧すると、吸液管内の圧力が高くなり、これによって、イオン溶出手段にて生成された洗浄消毒液が噴射部から噴射される。一方、押圧レバーの押圧を解除すると、吸液管内の圧力が低下するため、溶媒容器から殺菌性溶媒が吸い上げられて、次のイオン溶出手段での洗浄消毒液の生成に備えられる。
【００５８】
ここで、圧力検知部は、吸液管内の圧力を検知し、制御部は、圧力検知部での検知結果に応じて、金属電極への通電を制御するので、例えば、押圧レバーが押圧されて吸液管内の圧力が高まったときのみ、つまり、洗浄消毒液の噴射が必要なときのみ、金属電極に通電して金属イオンを殺菌性溶媒に添加し、洗浄消毒液を生成する一方、押圧レバーの押圧が解除されて吸液管内の圧力が低くなったときには、金属電極への通電を解除することができる。
【００５９】
これにより、噴射される洗浄消毒液として、噴射直前に金属イオンが添加された新鮮なものを常に提供することができる。また、洗浄消毒液が噴射されないときには、イオン溶出手段に供給される殺菌性溶媒内に金属イオンが存在しない状態を作ることができるので、殺菌性溶媒内で金属が析出して金属電極間が短絡するのを確実に防止することができる。また、洗浄消毒液が噴射されないときに、無駄な金属イオンの溶出を防ぐこともできる。
【００６０】
（１７）本発明の洗浄消毒器において、上記吸液管は、遮光性を有している構成が望ましい。
【００６１】
吸液管内の洗浄消毒液中の金属イオンは、光が当たると還元されて、金属もしくはその化合物が生成されるおそれがある。この場合、洗浄消毒液中の金属イオン濃度が低下して、噴射されても金属イオン特有の効果（例えば抗菌効果）が低減したり、イオン溶出手段の一対の電極間で短絡が生じる可能性がある。しかし、吸液管が遮光性を有していれば、金属イオンの光による還元を防止することができるので、そのような不都合を回避することができる。
【発明の効果】
【００６２】
本発明によれば、金属担持体からの金属イオンの溶出を、揮発性の殺菌性溶媒内で行うことにより、金属イオンを含有する洗浄消毒液が得られるので、金属イオンによる抗菌効果を得ることを目的とする場合のように、金属イオン濃度を高くしなくて済む場合でも、安定化のための溶液（例えばクエン酸水溶液）を使用することなく、洗浄消毒液を生成することができる。したがって、製造過程で無駄を生じさせること無く、洗浄消毒液を製造することができる。
【００６３】
また、洗浄消毒液を製造するにあたり、揮発性の殺菌性溶媒中に例えば金属電極を浸して通電するという一工程だけで、揮発性の殺菌性溶媒と金属イオンとを含む洗浄消毒液を容易に得ることができるので、洗浄消毒液の製造効率を向上させることができる。
【００６４】
また、揮発性の殺菌性溶媒と金属イオンとを含む洗浄消毒液を製造するので、自然乾燥でも十分に、洗浄消毒液に含まれる金属イオンによる所望の抗菌効果を得ることができる。
【００６５】
また、本発明の湿潤材料は、上記の洗浄消毒液が含浸されているので、揮発性の殺菌性溶媒が揮発した以降も、残留している金属イオンによる特有の効果を得ることができる。したがって、湿潤材料を収容した密閉容器の開封を、湿潤材料の使用直前に行わなければならないといった従来のような制約は不要であり、また、使用直前に乾いた綿球をアルコールに浸して湿潤材料を作成するといった手間もかからない。よって、使用者にとって使い勝手のよい、利便性に優れた湿潤材料を提供することができる。
【発明を実施するための最良の形態】
【００６６】
〔実施の形態１〕
本発明の実施の一形態について、図面に基づいて説明すれば以下の通りである。
【００６７】
（１−１．洗浄消毒器の構成）
まず、本発明の洗浄消毒液の製造装置でもある洗浄消毒器の全体構成について説明する。
【００６８】
（１−１−１．全体構成）
図１は、本実施形態の洗浄消毒器の概略の構成を示す断面図である。この洗浄消毒器は、洗浄対象としての手指を洗浄消毒する手指洗浄消毒器であり、本体１に、溶媒容器２と、センサ３と、ポンプ４と、イオン溶出ユニット５と、噴射部６と、廃液容器７と、制御部８と、連通管９・１０とを有している。
【００６９】
本体１は、その下部に溶媒容器２および廃液容器７を脱着可能に収容している。そして、これら容器の上方位置にて消毒対象（例えば手指）の消毒空間（洗浄消毒液の噴射空間）を確保できるように、本体１の形状は、溶媒容器２から吸い上げた溶液の流路、およびイオン溶出ユニット５から流出する洗浄消毒液の流路が上記消毒空間を迂回するような形状となっている。なお、本体１の形状は、これに限定されるわけではない。以下、各構成について説明する。
【００７０】
溶媒容器２は、本発明の洗浄消毒液を構成する揮発性の殺菌性溶媒（以下、単に溶媒とも記載する）を収容するものである。この溶媒としては、例えば、アルコールや石油系溶剤と水との混合物を想定することができる。なお、溶媒の詳細については、後述する。
【００７１】
センサ３は、洗浄対象となる手指が、消毒空間である噴射部６近傍に存在しているか否かを検知するものであり、例えば赤外線センサで構成されている。
【００７２】
ポンプ４は、センサ３にて消毒空間内での手指の存在が検知されたときに、溶媒容器２から溶媒を吸い上げて、それを連通管９を介してイオン溶出ユニット５に供給する。
【００７３】
イオン溶出ユニット５（イオン溶出手段）は、溶媒容器２からポンプ４によって供給される溶媒内で、金属担持体から金属イオンを溶出することにより、溶媒と金属イオンとを含む洗浄消毒液を生成する。この洗浄消毒液は、連通管１０を介して噴射部６に供給される。このようなイオン溶出ユニット５を設けることにより、市販の消毒用アルコールなどの金属イオンを含まない溶媒に対して、金属イオンを添加することができる。なお、イオン溶出ユニット５の詳細な構成ならびに本発明の洗浄消毒液の詳細については後述する。
【００７４】
噴射部６は、イオン溶出ユニット５から供給される洗浄消毒液を、消毒空間内の洗浄対象（手指）に向かって例えばシャワー状や霧状に噴射するものである。
【００７５】
廃液容器７は、噴射部６から手指に噴射された後に手指から滴下する洗浄消毒液や、噴射部６から噴射されても手指に当たらなかった洗浄消毒液を、廃液として回収するための容器である。
【００７６】
制御部８は、センサ３での検知結果に基づいて、ポンプ４およびイオン溶出ユニット５の動作を制御するものであり、図示しない電源と制御回路とを有している。
【００７７】
連通管９は、ポンプ４とイオン溶出ユニット５とを連結する管である。より詳細には、連通管９は、ポンプ４から鉛直上方に向かって延びており、イオン溶出ユニット５の高さ位置のところで水平方向に屈曲し、イオン溶出ユニット５の後述する流入口１４（図２参照）に連結されている。
【００７８】
連通管１０は、イオン溶出ユニット５と噴射部６とを連結する管である。より詳細には、連通管１０は、イオン溶出ユニット５の後述する流出口１５（図２参照）から水平に延び、噴射部６近傍にて鉛直下方に屈曲して噴射部６に連結されている。
【００７９】
（１−１−２．イオン溶出ユニットの構成）
次に、イオン溶出ユニット５の詳細な構成について説明する。
【００８０】
図２は、イオン溶出ユニット５の概略の構成を示す水平断面図を示し、図３は、イオン溶出ユニット５の垂直断面図を示している。
【００８１】
イオン溶出ユニット５は、ケース１１内に、電極１２・１３を有している。ケース１１は、合成樹脂、シリコン、ゴムなどの絶縁材料からなっている。電極１２・１３は、板状に形成されており、ケース１１内で互いに平行する形で、かつ、所定間隔を置いて配置されている。また、ケース１１の一方の端には、ポンプ４によって供給される溶媒の流入口１４が設けられており、他方の端には、ケース１１内にて溶媒に金属イオンが添加された洗浄消毒液の流出口１５が設けられている。
【００８２】
電極１２・１３の一端には、端子１６・１７がそれぞれ設けられている。電極１２と端子１６、電極１３と端子１７とは、それぞれ一体形成されている。なお、これらを一体形成できない場合は、電極と端子との間の接合部およびケース１１内の端子部分を合成樹脂でコーティングして水との接触を断ち、電食が生じないようにしておく。端子１６・１７は、ケース１１の外に突出し、制御部８に接続されている。
【００８３】
ケース１１の内部では、電極１２・１３の長手方向と平行に溶媒が流れる。ケース１１の中に溶媒が存在する状態で、電極１２・１３に所定の電圧を印加すると、電極１２・１３の陽極側から電極構成金属の金属イオンが溶出する。なお、金属イオンの溶出が終了した後、ケース１１の中に溶媒がたまらないようにするため、ケース１１の底面は、下流側が低くなるように傾斜をつけておくとよい。
【００８４】
ここで、上記した電極１２・１３は、例えば２ｃｍ×５ｃｍ、厚さ１ｍｍ程度の銀プレートであり、５ｍｍの距離を隔てて配置されている。電極１２・１３を構成する金属は、銀、銅、亜鉛若しくはそれらの合金であることが好ましい。
【００８５】
銀電極から溶出する銀イオン、亜鉛電極から溶出する亜鉛イオンは、瞬間的な殺菌効果や将来的な抗菌効果に優れ、銅電極から溶出する銅イオンは、防カビ性に優れている。また、これらの合金からは、成分金属のイオンを同時に溶出させることができるので、優れた殺菌（抗菌）効果および防カビ効果を得ることができる。例えば銀電極の場合、陽極側の電極においてＡｇ→Ａｇ+＋ｅ-の反応が起こり、水中に銀イオンＡｇ+が溶出する。
【００８６】
このようなイオン溶出ユニット５の構成により、制御部８は、電極１２・１３への電圧の印加の有無で金属イオンの溶出／非溶出を選択することができる。そして、制御部８は、電極１２・１３に流す電流や電圧印加時間を制御することにより、金属イオンの溶出量、言い換えれば、洗浄消毒液における金属イオンの濃度を制御することができる。したがって、例えばゼオライトなどの金属イオン担持体から金属イオンを溶出させる方式に比べ、金属イオンを投入するかどうかの選択や、金属イオンの濃度の調節をすべて電気的に行えるので使い勝手がよい。さらに、制御部８は、ポンプ４による溶媒の吸い上げ能力を調節し、イオン溶出ユニット５に供給される溶媒の単位時間あたりの供給量（供給流量、供給速度）を変化させることにより、洗浄消毒液中の金属イオン濃度を制御することもできる。
【００８７】
なお、イオン溶出手段は、上記のイオン溶出ユニット５に限定されるわけではない。例えば、硫化銀などの金属担持体をカートリッジ内に装填し、電圧を印加することなしに、カートリッジ内に溶媒を通すだけで、金属担持体から金属イオン（例えば銀イオン）を溶出させるものをイオン溶出手段として用いても構わない。また、本実施形態では、イオン溶出ユニット５を配管経路中（連通管９・１０の間）に設けているが、溶媒容器２内に浸漬させてもよい。これらの点は、以降の実施の形態でも同様に言えることである。
【００８８】
また、本実施形態では、イオン溶出ユニット５が一対の電極１２・１３を有している例について説明したが、金属電極は一対（２枚）である必要はない。つまり、金属電極は、二対や三対であってもよく、陽極に２枚、陰極に１枚（あるいはその逆）であってもよい。また、陽極が金属イオンを溶出する金属電極で、陰極が金属ではない炭素電極であってもよい。
【００８９】
（１−２．洗浄消毒器の動作）
次に、上記構成の洗浄消毒器の動作について説明する。
【００９０】
消毒空間である噴射部６近傍に手指が差し込まれたことをセンサ３が検知すると、制御部８は、ポンプ４を作動させ、溶媒容器２から溶媒を吸い上げ、連通管９を介してイオン溶出ユニット５に供給する。イオン溶出ユニット５では、制御部８の制御により、電極１２・１３間に電圧が印加されて銀イオンが溶出され、これが溶媒に添加されて洗浄消毒液が生成される。銀イオンを含む洗浄消毒液は、連通管１０を介して噴射部６に送られ、噴射部６から手指に向かって噴射される。噴射部６から噴射された洗浄消毒液のうちで余分なものは、その後、廃液容器７にて回収される。
【００９１】
（１−３．効果）
以上のように、本実施形態の洗浄消毒液は、洗浄対象を洗浄して消毒する洗浄消毒液であって、揮発性の殺菌性溶媒（例えばアルコールや石油系溶剤）と、当該溶媒内で金属担持体（電極１２・１３）から溶出される金属イオン（例えば銀イオン）とを含んでいる構成である。
【００９２】
また、本実施形態の洗浄消毒液の製造装置は、金属イオンを含む洗浄消毒液を製造する洗浄消毒液の製造装置であって、金属担持体から金属イオンを溶出するイオン溶出手段（イオン溶出ユニット５）を備え、上記イオン溶出手段は、揮発性の殺菌性溶媒内で、金属担持体から金属イオンを溶出することにより、上記殺菌性溶媒と上記金属イオンとを含む洗浄消毒液を生成する構成である。
【００９３】
また、本実施形態の洗浄消毒器は、揮発性の殺菌性溶媒内で、金属担持体から金属イオンを溶出することにより、上記殺菌性溶媒と上記金属イオンとを含む洗浄消毒液を生成するイオン溶出手段と、上記洗浄消毒液を洗浄対象に噴射する噴射部６とを備えている構成である。
【００９４】
また、本実施形態の洗浄消毒液の製造方法は、洗浄対象を洗浄して消毒する洗浄消毒液の製造方法であって、揮発性の殺菌性溶媒内で、金属担持体から金属イオンを溶出させることにより、洗浄消毒液を製造する構成である。
【００９５】
金属イオンによる将来的な抗菌効果を得ようとする場合は、金属イオン濃度を高くする必要はなく、それゆえ、洗浄消毒液の貯蔵時の安定化のために、クエン酸を洗浄消毒液に含有させる必要はない。したがって、本発明によれば、金属イオンによる抗菌効果を得ることを目的として、洗浄消毒液を製造する場合でも、製造過程で無駄を生じさせること無く、洗浄消毒液を製造することができる。
【００９６】
また、洗浄消毒液を製造するにあたり、揮発性の殺菌性溶媒内で金属イオンを溶出させるという一工程だけで、揮発性の殺菌性溶媒と金属イオンとを含む洗浄消毒液を容易に得ることができるので、洗浄消毒液の製造効率を向上させることができる。
【００９７】
また、従来用いられていたクエン酸自体は酸であるため、クエン酸水溶液を用いた場合は、それが高濃度の場合や溶媒の揮発により濃縮された場合に、腐食の原因となる一方、皮膚に接触した場合には、かゆみの原因となったりする可能性もある。しかし、本発明によれば、そのようなクエン酸水溶液を用いることなく洗浄消毒液を生成することができるので、そのような酸に特有の心配も生じない。
【００９８】
また、揮発性の殺菌性溶媒と金属イオンとを含む洗浄消毒液を製造するので、自然乾燥でも十分に、洗浄消毒液に含まれる金属イオンによる所望の抗菌効果を得ることができる。
【００９９】
さらに、上述した洗浄消毒液の製造装置と噴射部６とで洗浄消毒器が構成されることで、上記製造装置にて製造した洗浄消毒液が確実に洗浄対象に供給される。これにより、図１に示した据え置き式の洗浄消毒器（手指洗浄消毒器）を容易に実現することができる。
【０１００】
なお、洗浄対象に噴射した洗浄消毒液を送風により強制的に乾燥させる強制乾燥手段（例えばファン）を洗浄消毒器に設けるようにしてもよい。この場合、アルコール系以外の揮発性の低い溶媒（例えば塩化ベンザルコニウム）を用いても、強制乾燥により、洗浄対象において金属イオンの抗菌効果を発揮させることができる。
【０１０１】
なお、本実施形態では、揮発性の殺菌性溶媒内で電解を行う例について説明したが、これに限定されるわけではない。例えば、水中で電解を行い、その後、殺菌性溶媒と混合するようにしても構わない。また、殺菌性溶媒と水とを混ぜた溶液の中で電解を行うようにしても構わない。
【０１０２】
したがって、本発明の洗浄消毒液は、洗浄対象を洗浄して消毒する洗浄消毒液であって、揮発性の殺菌性溶媒と、当該溶媒を含む液中で金属担持体から溶出される金属イオンとを含んでいる構成であってもよいと言うことができる。
【０１０３】
（１−４．洗浄消毒液について）
次に、本発明の洗浄消毒液の詳細について説明する。
【０１０４】
（１−４−１．溶媒について）
本発明の洗浄消毒液を構成する溶媒としては、上述したようにアルコールや石油系溶剤と水との混合物を考えることができる。このような溶媒を用いることにより、金属イオンが添加された後の洗浄消毒液の揮発性を高めることができるので、洗浄消毒液に含まれる金属イオンによる所望の抗菌効果を確実に発揮させることができる。
【０１０５】
特に、上記アルコールとしては、例えばエタノール、メタノール、イソプロピルアルコールやそれらの混合物などを考えることができるが、洗浄消毒液にこのようなアルコールを混ぜることにより、以下の作用効果を得ることができる。
【０１０６】
第１に、アルコールと銀イオンとを含む洗浄消毒液を用いることによって、揮発が早く、乾燥後も抗菌効果がある洗浄消毒液を得ることができる。
【０１０７】
第２に、銀の抗菌効果は、菌が多い場合や汚れがある場合には低下するが、アルコールの殺菌効果は、多量の菌がある場合や、菌以外の汚れがある場合にも比較的高く、かつ、それらを除去する効果もある。したがって、本発明のように、アルコールと銀イオンとを混ぜて洗浄消毒液を構成することで、最初にアルコールで菌を除去することができるので、銀イオンによる抗菌効果を高めることができる。
【０１０８】
第３に、銀イオンを含む洗浄消毒液を乾燥させると、銀イオンは、金属銀や銀化合物などの微粉末として残留する。そして、次に水分に触れたときにそれらの表面から銀イオンが溶出することにより、銀イオンが殺菌・抗菌作用をもたらす。本発明のように、銀イオンとアルコールとを混合し、洗浄消毒液の揮発速度を速めることによって、上記微粉末の粒径が小さくなり、表面積が大きくなるので、銀イオンによる殺菌・抗菌作用を効果的に得ることができる。
【０１０９】
なお、周りに水分が全く無ければ、銀イオンが溶出しないが、水分が完全にない環境では、菌も死滅するため、問題はない。
【０１１０】
第４に、アルコールには、界面活性作用があり、油などの洗浄力にも優れているので、アルコールを含む本発明の洗浄消毒液を、上述した手指の洗浄のみならず、食器等の洗浄用途に用いることもできる。しかもアルコールは揮発するため、その後の水洗いを不要とすることもできる。また、アルコール濃度が十分に高ければ、揮発がさらに早いため、空拭きや洗浄消毒液の拭き取りが必要無い。
【０１１１】
よって、例えば、毛、絹、レーヨン、アセテート、キュプラなどからなる繊維製品や特殊な加工がしてある繊維製品は、長時間湿った状態が続いたり、水に触れた状態で力が加えられたりすると、繊維がダメージを受けるため、水洗いができないが、本発明の洗浄消毒液は、水洗いに適さない上述の繊維製品や、水で濡らしたくない電化製品やその周辺などの洗浄用途に用いることもでき、さらに、そのような洗浄と同時に、残留した銀により抗菌処理を行うこともできる。
【０１１２】
第５に、水洗いに適さない上述の繊維製品は、ドライクリーニングを行うことが多いが、ドライクリーニングは、料金が割高であるため、高頻度では中々行うことはできない。また、ドライクリーニングでは、有機系の汚れには効果的だが、無機系の汚れには効果的でない。
【０１１３】
しかし、アルコールと銀イオンとを含む、本発明の揮発性の洗浄消毒液は、乾燥が速く、これらの繊維製品に使用しても、当該繊維製品を傷めることはないので、この洗浄消毒液で汚れやすい部分を洗うことで、ドライクリーニングの頻度を下げることができる。また、汚れやすい部分は、雑菌が繁殖しやすい部分でもあるので、同時に抗菌効果が得られれば、メリットは大きい。さらに、アルコールには界面活性作用があるため、皮脂などの有機系の汚れも落とすことができ、さらに、本発明の洗浄消毒液は水溶液であるため、ほこりや砂、泥などの無機系の汚れも落とすことができる。
【０１１４】
このとき、洗浄消毒液による繊維製品の洗浄法としては、繊維製品を洗浄消毒液に浸漬させる浸漬方式でも当然構わない。また、繊維製品をハンガーなどに吊るしたまま、これに洗浄消毒液を多量に噴霧し、その後、繊維製品に染み込んだ洗浄消毒液を、別の布などに吸い込ませる方式としても構わない。この場合、繊維製品が湿った状態にあるときに不用意な力をかけるようなこともないので、繊維製品をより傷めにくくすることができる。
【０１１５】
本発明の洗浄消毒液において、上述した第１から第５の効果を確実に得ようと思えば、上記洗浄消毒液には、アルコールが５０重量％以上含まれていることが望ましく、さらには、７０重量％以上含まれていることが望ましいことが実験的に分かっている。このことから、本発明の洗浄消毒液としては、例えば、（１）エタノール７０重量％、水３０重量％で構成される溶媒に、銀イオン９００ｐｐｂを添加したものや、（２）イソプロピルアルコール５０重量％、水５０重量％で構成される溶媒に、銀イオン９００ｐｐｂを添加したもので構成することが可能である。
【０１１６】
ところで、上記の溶媒がアルコールと水（蒸留水）のみからなる場合、溶媒の導電率が低く、イオン溶出ユニット５内にて電解を行うには高電圧が必要となる。そこで、上記溶媒に電解質を添加することによって溶媒の導電率を上げる構成としてもよい。この場合の電解質としては、例えば塩化ナトリウム（NaCl）や炭酸水素ナトリウム（NaHCO3）を挙げることができる。これにより、低電圧にてイオン溶出ユニット５での電解を行うことができるので、イオン溶出ユニット５ひいては洗浄消毒器全体の消費電力を低減することができる。
【０１１７】
また、水道水中には電解質が含まれるため、上記の溶媒に電解質を添加する変わりに水道水を混合してもよい。水道水は安価で、入手が極めて容易であるため、市販のエタノール等に水道水を混ぜるだけで、銀イオンが添加される溶媒を容易に作ることができる。なお、水道水は、蒸留水と違って、僅かながら菌を含むことがあるが、それらもアルコールおよび金属イオンの作用で死滅させることができるので、問題はない。
【０１１８】
（１−４−２．金属イオン濃度について）
次に、本発明の洗浄消毒液における金属イオン濃度について説明する。
【０１１９】
本発明では、溶媒中に揮発性の殺菌性溶媒（例えばアルコール）を含んでいるため、洗浄消毒液における金属イオン濃度を、１０ｐｐｂ以上１ｐｐｍ以下としている。
【０１２０】
洗浄消毒液における金属イオン濃度が１０ｐｐｂよりも低いと、金属イオン特有の効果（例えば抗菌効果）が有効的に発揮されない。一方、上記金属イオン濃度が１ｐｐｍよりも高いと、金属が析出しやすくなって洗浄消毒液の貯蔵時の安定性が損なわれるとともに、金属の析出により金属イオン濃度が低下する。
【０１２１】
しかし、本発明の洗浄消毒液において、上記範囲の金属イオン濃度では、洗浄消毒液の状態は比較的安定しており、金属の析出は起こりにくく、洗浄消毒液の長時間の貯蔵においても、金属イオン濃度が時間とともに低下するのをほとんど回避することができる。したがって、溶液の安定化のためのクエン酸を用いる必要がなく、洗浄消毒液の貯蔵時の安定性を確保することができる。
【０１２２】
なお、本発明の洗浄消毒液において、金属イオン濃度が従来（例えば特許文献３の４ｐｐｍ）に比べて低いのは、金属イオンに瞬間的な殺菌効果を期待していないからである。ちなみに、瞬間的な殺菌効果は、アルコールによってもたらされることになる。
【０１２３】
また、本発明においては、イオン溶出ユニット５の電極１２・１３を銀電極で構成しているため、洗浄消毒液に含有される金属イオンは、銀イオンとなっている。これにより、上記洗浄消毒液によって洗浄対象を洗浄することで、銀イオンに特有の将来的な抗菌効果を洗浄対象に付与することができる。
【０１２４】
（１−５．湿潤材料について）
上述した本発明の洗浄消毒液は、湿潤材料に適用することができる。つまり、本発明の洗浄消毒液を含浸させて湿潤材料を構成することができる。
【０１２５】
ここで、湿潤材料とは、例えば、綿球、綿棒、ガーゼ、ウェットティッシュ、紙ナプキン、布や不織布からなるおしぼりやお手ふきなどの保水材料や保水繊維を想定することができる。
【０１２６】
従来のように、消毒用アルコールのみを含浸させた綿球は、アルコールが揮発すると、それ以降は消毒液としての効果がなくなっていた。しかし、本発明のように、揮発性の殺菌性溶媒（例えばアルコール）と金属イオン（例えば銀イオン）とを含む洗浄消毒液を含浸させて湿潤材料を構成すれば、アルコールが揮発した以降も、残留している金属イオンによる抗菌効果を得ることができる。
【０１２７】
したがって、湿潤材料を収容した密閉容器の開封を、湿潤材料の使用直前に行わなければならないといった制約を課すことなく、湿潤材料を使用することができる。また、使用直前に乾いた綿球をアルコールに浸して湿潤材料を作成するといった手間もかからない。よって、使用者にとって使い勝手のよい、利便性に優れた湿潤材料を提供することができる。
【０１２８】
また、アルコール消毒液は、揮発すると効果がなくなるため、乾燥後の菌汚染に対しては無力である。一方、綿球等は、一般にアルコールに浸した状態でのみ使用するわけではなく、乾燥した状態で使用する必要がある場合も多い。その場合、綿球等による消毒時に菌が完全に除去されていなければ、その菌がアルコール揮発後に再び繁殖する可能性がある。しかし、本発明のように、金属イオンとアルコールとを併用した洗浄消毒液を含浸させた湿潤材料を用いれば、アルコールによる消毒効果に加えて、アルコールの揮発後も、残留する金属イオンによる抗菌効果により、菌の繁殖を抑えることができる。
【０１２９】
〔実施の形態２〕
本発明の他の実施の形態について、図面に基づいて説明すれば以下の通りである。
【０１３０】
（２−１．全体構成）
図４は、本実施形態の洗浄消毒液の製造装置でもある洗浄消毒器の概略の構成を示す断面図である。この洗浄消毒器は、いわゆるスプレー式の洗浄消毒器であり、溶媒容器２１と、把手部２２とで構成されている。
【０１３１】
溶媒容器２１は、実施の形態１で説明した揮発性の殺菌性溶媒（以下、単に溶媒と記載する）を収容するものである。この溶媒容器２１は、例えば略フラスコ形状となっており、最上部のみが開口している。
【０１３２】
把手部２２は、使用者によって握持される部分であり、溶媒容器２１の開口部を塞ぐように、しかも、溶媒容器２１に取り外し自在に設けられる。この把手部２２は、吸液管２３と、イオン溶出ユニット２４と、噴射部２５と、逆止弁２６・２７と、押圧レバー２８と、制御部２９とを有している。
【０１３３】
吸液管２３は、溶媒容器２１からイオン溶出ユニット２４を介して噴射部２５まで至る、溶媒または洗浄消毒液の流路を確保するための管である。吸液管２３は、把手部２２の内部を貫くように設けられているとともに、把手部２２における下端、すなわち、溶媒容器２１の開口部側の端面から、溶媒容器２１の底面近くまで延びている。
【０１３４】
また、吸液管２３は、遮光性を有する樹脂で構成されている。これにより、吸液管２３内を流れる洗浄消毒液において、光により金属イオンが還元されて金属もしくはその化合物が析出し、イオン溶出ユニット２４内の金属電極間が短絡するのを回避することができる。
【０１３５】
イオン溶出ユニット２４（イオン溶出手段）は、押圧レバー２８の押圧によって溶媒容器２１から吸い上げられた溶媒内で、金属担持体から金属イオンを溶出することにより、溶媒と金属イオンとを含む洗浄消毒液を生成するものである。イオン溶出ユニット２４は、実施の形態１で示したイオン溶出ユニット５と全く同様の構成のものであり、吸液管２３の途中に設けられている。
【０１３６】
噴射部２５は、イオン溶出ユニット２４から供給される洗浄消毒液を、洗浄対象に向かって霧状に噴射するものであり、その先端は霧化構造となっている。
【０１３７】
逆止弁２６は、吸液管２３における溶媒容器２１側の端部に設けられており、吸液管２３内の圧力変化時に、吸液管２３内の溶媒および洗浄消毒液が、溶媒容器２１側へ逆流するのを防いでいる。
【０１３８】
逆止弁２７は、吸液管２３における噴射部２５側に設けられており、吸液管２３内の圧力変化時に、外気が噴射部２５から吸液管２３内に流入するのを防いでいる。
【０１３９】
押圧レバー２８は、溶媒容器２１から噴射部２５に至る吸液管２３内の圧力を押圧動作に応じて変化させることによって、溶媒容器２１内の溶媒のイオン溶出ユニット２４への供給を制御するとともに、イオン溶出ユニット２４にて生成された洗浄消毒液の噴射部２５からの噴射を制御する。
【０１４０】
より具体的には、この押圧レバー２８には、ピストン３０が連結されている。ピストン３０は、吸液管２３の内部と連通するシリンダ３１内を、押圧レバー２８の押圧動作に応じて移動する。また、押圧レバー２８は、図示しないバネ等の付勢手段により、その押圧を解除する方向に付勢されている。
【０１４１】
したがって、押圧レバー２８の押圧時には、ピストン３０の移動により、吸液管２３内の圧力が増加し、イオン溶出ユニット２４にて生成された洗浄消毒液が噴射部２５から噴射されるようになる。
【０１４２】
一方、押圧レバー２８の押圧を解除すると、上記付勢手段によって押圧レバー２８が元の位置に戻るとともに、ピストン３０が上記とは逆方向に移動する。これによって、吸液管２３内の圧力が減少するため、溶媒容器２１内の溶媒が吸液管２３内に吸い上げられ、次のイオン溶出ユニット２４での洗浄消毒液の生成に備えられる。
【０１４３】
このようにして、押圧レバー２８の押圧動作に応じて、溶媒容器２１内の溶媒のイオン溶出ユニット２４への供給、ならびに、イオン溶出ユニット２４にて生成された洗浄消毒液の噴射部２５からの噴射が制御される。
【０１４４】
制御部２９は、押圧レバー２８の押圧動作に連動して、イオン溶出ユニット２４の電極への通電を制御するものであり、図示しない電源と制御回路とを有している。例えば、図示しない押圧検知部が押圧レバー２８の押圧を検知すると、制御部２９は、イオン溶出ユニット２４の一対の電極に通電し、電極から金属イオンを溶出して溶媒に添加する。一方、押圧検知部が押圧レバー２８の押圧解除を検知すると、制御部２９は、電極への通電を解除し、金属イオンの溶出を停止させる。
【０１４５】
（２−２．洗浄消毒器の動作）
次に、上記構成の洗浄消毒器の動作について説明する。
【０１４６】
使用者が押圧レバー２８を押圧する（押圧レバー２８を引く）と、制御部２９がイオン溶出ユニット２４の電極に通電して金属イオン（例えば銀イオン）を溶媒内に溶出する。これにより、イオン溶出ユニット２４内で溶媒と金属イオンとを含む洗浄消毒液が生成される。また、押圧レバー２８の押圧により、ピストン３０が移動し、吸液管２３内の圧力が増加するため、イオン溶出ユニット２４にて生成された洗浄消毒液は、吸液管２３および逆止弁２７を介して、噴射部２５に到達し、噴射部２５から外部の洗浄対象に向かって噴射される。
【０１４７】
なお、吸液管２３内に洗浄消毒液が満たされていれば、上記のように噴射部２５から洗浄消毒液が噴射されるが、吸液管２３内に洗浄消毒液が満たされていなければ、吸液管２３内の空気が噴射部２５から吹き出すだけである。また、吸液管２３内に洗浄消毒液が満たされていなければ、電極に通電しても金属イオンは溶出しない。
【０１４８】
一方、押圧レバー２８の押圧が解除されると、制御部２９が電極への通電を停止するとともに、ピストン３０の上記とは逆方向の移動により、吸液管２３内の圧力が減少する。これにより、溶媒容器２１内の溶媒が逆止弁２６を介して吸液管２３内に吸い上げられる。以降は、この動作の繰り返しである。
【０１４９】
（２−３．効果）
以上のように、本実施形態の洗浄消毒液の製造装置は、金属イオンを含む洗浄消毒液を製造する洗浄消毒液の製造装置であって、金属担持体から金属イオンを溶出するイオン溶出手段（イオン溶出ユニット２４）を備え、上記イオン溶出手段は、揮発性の殺菌性溶媒内で、金属担持体から金属イオンを溶出することにより、上記殺菌性溶媒と上記金属イオンとを含む洗浄消毒液を生成する構成である。
【０１５０】
また、本実施形態の洗浄消毒器は、揮発性の殺菌性溶媒内で、金属担持体から金属イオンを溶出することにより、上記殺菌性溶媒と上記金属イオンとを含む洗浄消毒液を生成するイオン溶出手段と、上記洗浄消毒液を洗浄対象に噴射する噴射部２５とを備えている構成である。
【０１５１】
また、本実施形態の洗浄消毒液の製造方法は、洗浄対象を洗浄して消毒する洗浄消毒液の製造方法であって、揮発性の殺菌性溶媒内で、金属担持体から金属イオンを溶出させることにより、洗浄消毒液を製造する構成である。
【０１５２】
これにより、実施の形態１と同等の洗浄消毒液の製造装置、洗浄消毒器の製造方法および洗浄消毒器を実現することができるので、実施の形態１と同様の効果を得ることができる。
【０１５３】
また、本実施形態の洗浄消毒器は、上記構成に加えて、上記殺菌性溶媒を収容する溶媒容器２１と、溶媒容器２１から噴射部２５に至る吸液管２３内の圧力を押圧動作に応じて変化させることによって、上記殺菌性溶媒の上記イオン溶出手段への供給を制御するとともに、上記イオン溶出手段にて生成された洗浄消毒液の噴射部２５からの噴射を制御する押圧レバー２８と、押圧レバー２８の押圧動作に連動して、イオン溶出手段の金属電極への通電を制御する制御部２９とをさらに備えている構成である。
【０１５４】
これにより、噴射部２５から噴射される洗浄消毒液として、噴射直前に金属イオンが添加された新鮮なものを常に提供することができる。また、洗浄消毒液が噴射されないときには、イオン溶出手段に供給される殺菌性溶媒内に金属イオンが存在しない状態を作ることができるので、殺菌性溶媒内で金属が析出して金属電極間が短絡するのを確実に防止することができる。また、洗浄消毒液が噴射されないときに、無駄な金属イオンの溶出を防ぐこともできる。
【０１５５】
また、金属イオンと揮発性の殺菌性溶媒とを含む洗浄消毒液を、霧状で散布し、消毒、洗浄を行うことができるので、少量で広範囲に噴霧できることに加えて、霧状であれば分子が小さくなり、揮発しやすくなるため、金属イオンを含む洗浄消毒液の効果をより発揮しやすくすることができる。
【０１５６】
〔実施の形態３〕
本発明のさらに他の実施の形態について、図面に基づいて説明すれば以下の通りである。なお、実施の形態１・２と同一の構成には同一の部材番号を付記し、その説明を省略する。
【０１５７】
図５は、本実施形態の洗浄消毒器の主要部の概略の構成を示す断面図である。同図に示すように、本実施形態では、実施の形態２の洗浄消毒器において、把手部２２に圧力センサ４１を設けている。また、本実施形態では、イオン溶出ユニット２４は、噴射部２５の近傍、すなわち、吸液管２３において溶媒容器２１よりも噴射部２５寄りに設けられている。
【０１５８】
圧力センサ４１（圧力検知部）は、吸液管２３内の圧力を検知するものである。本実施形態では、制御部２９は、圧力センサ４１での検知結果に応じて、イオン溶出ユニット２４の電極への通電を制御する。
【０１５９】
例えば、押圧レバー２８が押圧されると、ピストン３０の移動により、吸液管２３内の圧力が増加する。圧力センサ４１が吸液管２３内の圧力が所定値以上となったことを検知すると、制御部２９は、イオン溶出ユニット２４の電極に通電し、金属イオンを溶媒に溶出させる。
【０１６０】
一方、押圧レバー２８の押圧が解除されると、ピストン３０の逆方向の移動により、吸液管２３内の圧力が減少する。圧力センサ４１が吸液管２３内の圧力が所定値以下となったことを検知すると、制御部２９は、イオン溶出ユニット２４の電極への通電を解除する。
【０１６１】
以上のように、本実施形態の洗浄消毒器は、実施の形態２の洗浄消毒器の構成において、押圧レバー２８と、吸液管２３内の圧力を検知する圧力検知部（圧力センサ４１）と、上記圧力検知部での検知結果に応じて、イオン溶出手段の電極への通電を制御する制御部２９とを備えている構成である。
【０１６２】
これにより、押圧レバー２８が押圧されて吸液管２３内の圧力が高まり、洗浄消毒液の噴射が必要なときのみ、イオン溶出手段にて金属イオンを溶出して洗浄消毒液を生成することができる。一方、押圧レバー２８の押圧が解除され、吸液管２３内の圧力が低下したときには、金属イオンの溶出を停止させることができる。
【０１６３】
したがって、噴射部２５から噴射される洗浄消毒液として、噴射直前に金属イオンが添加された新鮮なものを常に提供することができるなど、実施の形態２と同様の効果を得ることができる。
【０１６４】
また、吸液管２３においては、溶媒容器２１からの吸い上げによって、イオン溶出手段（イオン溶出ユニット２４）よりも噴射部２５側に溶媒が溜まることもあるが、このような溶媒には、イオン溶出手段にて金属イオンを添加することができない。しかし、本実施形態のように、イオン溶出手段を噴射部２５近傍に配置することにより、イオン溶出手段よりも噴射部２５側に存在する溶媒の量、つまり、金属イオンを添加することができない溶媒の量を極力減らすことができる。これにより、金属イオンを含む洗浄消毒液を有効的に作ることができる。なお、このようにイオン溶出手段を配置する構成は、実施の形態２や後述する実施の形態４にも勿論適用することが可能である。
【０１６５】
〔実施の形態４〕
本発明のさらに他の実施の形態について、図面に基づいて説明すれば以下の通りである。なお、実施の形態１ないし３と同一の構成には同一の部材番号を付記し、その説明を省略する。
【０１６６】
図６（ａ）（ｂ）は、本実施形態の洗浄消毒器の主要部の概略の構成を示す断面図であり、図６（ａ）は、上記洗浄消毒器を背面側から見た場合の断面図を示し、図６（ｂ）は、上記洗浄消毒液を側面から見た場合の断面図を示している。これらの図に示すように、本実施形態では、実施の形態２の洗浄消毒器において、制御部２９の代わりに制御部５１を用いている。
【０１６７】
制御部５１は、制御部２９と同様に、押圧レバー２８の押圧動作に連動して、イオン溶出ユニット２４の電極１２・１３への通電を制御するものであるが、本実施形態では、押圧レバー２８の押圧動作に連動して、イオン溶出ユニット２４の電極１２・１３への通電を切り替えるスイッチで構成されている。
【０１６８】
このスイッチは、第１端子５２と、第２端子５３とを有している。第１端子５２は、イオン溶出ユニット２４の一方の電極１２と接続されており、吸液管２３の側面に固定されている。第２端子５３は、他方の電極１３と電池５４（電源）を介して接続されている。また、第２端子５３は、押圧レバー２８とバネ５５（付勢手段）を介して連結されており、押圧レバー２８の押圧方向に往復移動可能となっている。これにより、第２端子５３は、押圧レバー２８の押圧動作に連動して、第１端子５２と離接可能となっている。
【０１６９】
上記の構成において、押圧レバー２８を押圧すると、押圧レバー２８の移動とともに、第２端子５３が第１端子５２方向に移動し、やがて第１端子５２と接触する。これにより、制御部５１を構成するスイッチがＯＮとなり、第１端子５２、第２端子５３、電池５４、電極１３、イオン溶出ユニット２４内の溶媒および電極１２で環状のループが形成される。これにより、電極１２・１３に電流が流れ、そのうちで陽極となる電極から、金属イオン（例えば銀イオン）が溶出される。
【０１７０】
一方、押圧レバー２８の押圧を解除すると、押圧レバー２８が図示しない付勢手段により元の位置に戻る方向に移動するので、これに伴って、第２端子５３が第１端子５２から離れる方向に移動する。これにより、制御部５１を構成するスイッチがＯＦＦとなり、上記のループが切断されるので、電極１２・１３には電流が流れず、金属イオンの溶出が停止する。
【０１７１】
以上のように、本実施形態では、制御部５１が、押圧レバー２８の押圧動作に連動して、イオン溶出ユニット２４の電極１２・１３への通電を切り替えるスイッチで構成されているので、押圧レバー２８の押圧動作だけで、イオン溶出ユニット２４にて自動的に、溶媒に金属イオンを溶出させることができる。
【０１７２】
また、上記スイッチは、イオン溶出ユニット２４の一方の電極１２と接続される第１端子５２と、他方の電極１３と電源（電池５４）を介して接続される第２端子５３とを備えており、第１端子５２および第２端子５３が押圧レバー２８の押圧動作に連動して離接することにより、電極１２・１３への通電を切り替える構成である。これにより、電源による電極１２・１３への通電を自動的に切り替えるスイッチを、簡単な構成で実現することができる。
【０１７３】
また、本実施形態では、第１端子５２および第２端子５３の大きさおよびその設置位置の調整や、バネ５５の付勢力の調整次第で、押圧レバー２８が元の位置にあるとき以外にスイッチが入るようにすることができる。この場合、電解が行われ、吸液管２３内に引き込まれる溶媒に金属イオンが溶出されるのは、押圧レバー２８が引かれてから元に戻るまでの間だけとなる。
【０１７４】
溶媒容器２１から吸い上げた溶媒が吸液管２３内で溜まっている所にイオン溶出ユニット２４を取り付けた場合、一般には、金属イオン濃度は、溶媒の液量や電解時間に左右されることになる。しかし、本実施形態では、１回の押圧レバー２８の操作で吸液管２３に引き込まれる溶媒の液量はほぼ一定であり、押圧レバー２８の「引き」および「戻し」の時間もほぼ一定であるので、洗浄消毒液中の金属イオン濃度をほぼ一定にすることができる。また、金属イオンを添加するのが、吸液管２３内の溶媒だけなので、必要最小限のイオン溶出量で済ませることができる。
【産業上の利用可能性】
【０１７５】
本発明は、例えば手指や繊維製品の洗浄・消毒を行う洗浄消毒液、その際に用いる綿球、ガーゼ等の湿潤材料、上記洗浄消毒液の製造装置および製造方法、洗浄消毒器などに利用可能である。
【図面の簡単な説明】
【０１７６】
【図１】は、本発明の実施の一形態に係る洗浄消毒器の概略の構成を示す断面図である。
【図２】は、上記洗浄消毒器が備えるイオン溶出ユニットの概略の構成を示す水平断面図である。
【図３】は、上記イオン溶出ユニットの概略の構成を示す垂直断面図である。
【図４】は、本発明の他の実施の形態に係る洗浄消毒器の概略の構成を示す断面図である。
【図５】は、本発明のさらに他の実施の形態に係る洗浄消毒器の主要部の概略の構成を示す断面図である。
【図６】は、本発明のさらに他の実施の形態に係る洗浄消毒器の主要部の概略の構成を示す断面図であり、（ａ）は、上記洗浄消毒器を背面側から見た場合の断面図であり、（ｂ）は、上記洗浄消毒液を側面から見た場合の断面図である。
【符号の説明】
【０１７７】
５    イオン溶出ユニット（イオン溶出手段）
６    噴射部
８    制御部
１２    電極（金属担持体）
１３    電極（金属担持体）
２１    溶媒容器
２３    吸液管
２４    イオン溶出ユニット（イオン溶出手段）
２５    噴射部
２８    押圧レバー
２９    制御部
４１    圧力センサ（圧力検知部）
５１    制御部
５２    第１端子
５３    第２端子
５４    電池（電源）
【図１】
2005053840.tif 000003
【図２】
2005053840.tif 000004
【図３】
2005053840.tif 000005
【図４】
2005053840.tif 000006
【図５】
2005053840.tif 000007
【図６】
2005053840.tif 000008